(57)【要約】      （修正有）【課題】図柄表示装置のサイズ変更に対応可能とした弾球遊技機を提供する。【解決手段】前面に遊技領域ＰＡが形成される遊技盤と、この遊技盤を立設姿勢で収容保持する前枠２と、遊技展開に応じた図柄を表示する図柄表示装置とを備える弾球遊技機ＰＭにおいて、遊技領域ＰＡ内に位置して前面から背面側を視認可能とするための透視領域ＳＡを形成し、前枠２の背面側に突出して配設される係合突起と、図柄表示装置に設けられる係合受け部３４とを係合させることにより、表示部が透視領域ＳＡを介して前面に臨むようにして図柄表示装置を配設し、係合突起を前枠２の背面側において縦横方向に並んで設けられる複数のガイド孔７１ａに選択的に取り付け、係合突起７７を取り付けるガイド孔７１ａの選択により係合突起７７を縦横方向に可動に構成する。【選択図】図８
2005305039.tif 000002
【特許請求の範囲】
【請求項１】
前面に遊技領域が形成される遊技盤と、
前記遊技盤を立設姿勢で収容保持する前枠と、
遊技展開に応じた図柄を表示する図柄表示装置とを備える弾球遊技機において、
前記遊技領域内に位置して前面から背面側を視認可能とするための透視領域が形成され、
前記前枠の背面側に配設される前枠側係合部と、前記図柄表示装置に設けられる図柄表示装置側係合部とを係合させることにより、前記図柄表示装置の表示部が前記透視領域を介して前面に臨むようにして前記図柄表示装置が配設されるように構成され、
前記前枠側係合部が、前記前枠の背面側において縦横方向に並んで設けられる複数のガイド孔に選択的に取り付けられ、取り付ける前記ガイド孔の選択により前記縦横方向に可動に構成されることを特徴とする弾球遊技機の表示装置取付機構。
【請求項２】
前記ガイド孔が前記前枠に貫通して設けられていることを特徴とする請求項１に記載の弾球遊技機の表示装置取付機構。
【請求項３】
前記ガイド孔が前記前枠の背面に着脱自在に取り付けられるブラケット部材に貫通して設けられていることを特徴とする請求項１に記載の弾球遊技機の表示装置取付機構。
【発明の詳細な説明】
【技術分野】
【０００１】
本発明は、前面に遊技領域が形成された遊技盤と、遊技盤を立設姿勢で収容保持する前枠とを備えた弾球遊技機の表示装置取付機構に関する。
【背景技術】
【０００２】
上記弾球遊技機の一例としてパチンコ機がある。パチンコ機は、前面に遊技領域を形成する遊技盤を、方形状の前枠に設けた収容部に立設姿勢で収容保持して構成されており、発射装置により遊技領域上部に導いた遊技球を落下させる過程で遊技領域内に設けた入賞具に入賞させる遊技を行うように構成されている。
【０００３】
遊技盤は、ルータ加工等を施した矩形状のベニヤ板に所定の図柄を印刷したセルを貼り付けて形成された化粧板を基板として構成され、化粧板の前面に遊技球を導くレールを取り付けて略円形状の遊技領域が区画形成されている。遊技領域内には、多数の遊技釘、入賞具等が取り付けられるとともに、略中央部に設けられた開口部の周縁に飾り体が取り付けられており、この開口部内に遊技展開に応じた図柄を表示させて遊技性を高める図柄表示装置が例えば液晶パネル等の表示部を前面に臨ませて配設されている。図柄表示装置は、表示器、制御基板等をケースに収容して構成されて遊技盤の背面に突出して取り付けられている。また、突出するケース後端面の面積は、前端面を形成する表示器の表示部面積よりも大きく構成されることが一般的である。
【０００４】
また、パチンコ機の背面側には遊技球の処理機構が備えられており、その形態として、前後両面に球通路等の処理機構が設けられた裏セット盤を前枠の背面を一面覆うように取り付ける形態、裏セット盤を前枠の背面下部のみを覆って取り付けて前枠の背面上部に処理機構の一部を一体的に設ける形態等がある。上記２例どちらの形態においても、遊技盤の背面に突出して設けられる図柄表示装置との干渉を避けるために、前枠あるいは裏セット盤の略中央部は、矩形状の開口部が設けられて図柄表示装置の突出部を収容するように形成されている（例えば、特許文献１）。
【０００５】
なお、遊技盤はパチンコ機の機種ごとに付与された遊技テーマを表現するために、セルに印刷される図柄、遊技領域に取り付けられる飾り体等に機種ごとの特徴を有したデザインが創作される。このため機種の変更にあっては、遊技球の処理機構が設けられる前枠や裏セット盤、あるいは外郭を形成する外枠などは再利用が可能である一方、遊技盤の着脱交換作業（いわゆる「盤面替え」）が必要不可欠なものとなっている。
【特許文献１】特開２００３−８１４１１号公報（第３，４頁、第３〜８図）
【発明の開示】
【発明が解決しようとする課題】
【０００６】
ところで、近年のパチンコ機においては、図柄表示装置の表示部サイズが大型化しており、これに付随して大型の表示部を活かした高度な遊技演出を行うために図柄制御基板も大型化の傾向にある。しかしながら、上記のように遊技盤の背面側は、球寄せカバー、裏セット盤等の遊技球の処理機構が設けられるとともに図柄表示装置の突出部を収容するための開口が設けられることから、互いの設計領域が干渉し合わないように設計制限が大きく、従来のように遊技盤背面に直接あるいは球寄せカバーを介して図柄表示装置を取り付ける機構によれば、近年の図柄表示装置の大型化傾向に対応した設計を試みることが困難であるという問題があった。
【０００７】
また、パチンコ機の図柄表示装置の表示器として一般的に用いられている液晶パネルは概ね１万時間から５万時間程度のバックライト寿命を有しており、遊技施設での使用日数にして２年以上の稼動を可能とする計算となる。しかしながら一方で、遊技施設においては限られたスペース内での遊技サービスの提供にあたって人気機種および新機種の設置優先性が極めて高い状態にあり、一般的なパチンコ機において３〜６ヶ月程度で更新を余儀なくされる現状にある。このような事情から、機種の変更に伴う盤面替えのときに、寿命を充分に残した液晶パネルが遊技盤とともに廃棄され、機種ごとに新品の液晶パネルを取り付けて遊技盤が製造されており、パチンコ機の製造コストが高くなる一因として問題となっていた。
【０００８】
以上の問題に鑑みて本発明は、大型の図柄表示装置の取り付けを可能とするとともに、製造コストを抑えることを可能とする弾球遊技機を提供することを目的とする。
【課題を解決するための手段】
【０００９】
上記目的達成のため、前面に遊技領域が形成される遊技盤と、この遊技盤を立設姿勢で収容保持する前枠と、遊技展開に応じた図柄を表示する図柄表示装置とを備える弾球遊技機において、遊技領域内に位置して前面から背面側を視認可能とするための透視領域を形成し、前枠の背面側に突出して配設される前枠側係合部（例えば、実施形態における係合突起７７）と、図柄表示装置に設けられる図柄表示装置側係合部（例えば、実施形態における係合受け部３４）とを係合させることにより、図柄表示装置の表示部が透視領域を介して前面に臨むようにして図柄表示装置が配設されるように構成し、前枠側係合部を前枠の背面側において縦横方向に並んで設けられる複数の孔に選択的に取り付け、係合突起を取り付ける孔の選択により係合突起を縦横方向に可動に構成している。
【００１０】
なお、上記のガイド孔を前枠に設けて構成してもよい。
【００１１】
また、上記のガイド孔を前枠の背面に着脱自在に取り付けられるブラケット部材に設けて構成してもよい。
【発明の効果】
【００１２】
本発明に係る弾球遊技機の表示装置取付機構は、従来は遊技盤背面側の球寄せカバーに取り付けられていた図柄表示装置を前枠の背面に取り付ける構成としている。このような構成により、従来は裏セット盤、球寄せカバー等の処理機構との干渉回避のための設計制限によって困難であった図柄表示装置の大型化を行うことができる。
【００１３】
また、従来は機種の変更のときに着脱交換される遊技盤に取り付けていた図柄表示装置を、旧機種から新機種に流用可能な裏セット盤に取り付けられていることから、液晶パネルを新品に替えて製造する必要がなくなる。このため、寿命を活かした液晶パネルの使用が可能となって製造コストを抑えた弾球遊技機を提供することができる。
【００１４】
さらに、本発明に係る表示装置取付機構は、前枠背面側に設けられる係合部を縦横方向に並んで設けられる複数のガイド孔に選択的に取り付けて構成されている。このため、この前枠側係合部を取り付けるガイド孔の選択によって、これらガイド孔の穿設間隔に応じて前枠側係合部の配設間隔を縦横方向に多段階的に調整することができ、例えば図柄表示装置の表示部面積が機種変更に伴って変更される等によって図柄表示装置側係合部の配設間隔が変更されるようなことがあっても、前枠側係合部を取り付けるガイド孔を適切に選択することによって容易に対応して図柄表示装置の取り付けを行うことができる。即ち、上記構成により、種々のサイズの図柄表示装置の取り付けに対応することができる。
【発明を実施するための最良の形態】
【００１５】
以下、本発明を実施するための形態について図面を参照しながら説明する。本実施形態では、本発明に係る表示装置取付機構を適用した弾球遊技機としてパチンコ機を例示し、まず図１，図２を参照してパチンコ機ＰＭの全体構成について概要説明する。
【００１６】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構６ｃにより前方に横開き開閉および着脱が可能に取り付けられ、正面右側に設けられたダブル錠と称される施錠装置７を利用して常には外枠１と係合連結された閉止状態に保持される。
【００１７】
前枠２の表側（前面側）には、上部に前枠２の前面域に合わせた方形状のガラス扉３が、下部に球皿４が、それぞれ正面左側に設けられたヒンジ機構で横開き開閉および着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００１８】
ガラス扉３の背後に位置する前枠上部には、方形枠状の収容部２ａが前枠２に一体に設けられており、この収容部２ａおよび遊技盤１０の各部に設けられた遊技盤係止機構８を利用して遊技盤１０が前面側から着脱可能に立設保持されてガラス扉３を通して視認可能となっている。
【００１９】
遊技盤１０は、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４，１５が形成される。遊技領域ＰＡの内側には多数本の遊技釘とともに風車１６、各種の入賞具１７、表示装置飾り体１８等の遊技構成部品が取り付けられ、下端部においては入賞具１７に入賞することなく遊技領域ＰＡを転動落下した遊技球を回収するためのアウト口１９が設けられる。
【００２０】
また、表示装置飾り体１８は、ＮＣルータ加工機等によって穿設加工された遊技領域ＰＡの略中央部の開口縁部を装飾するように周設されるとともに化粧板１１の背面側に若干突出するようにして設けられる（図４を併せて参照）。このようにして設けられる表示装置飾り体１８に囲まれる内側には横長方形窓枠状の透視領域ＳＡが形成されて遊技盤１０の背面側を前面側から透視可能となっており、この透視領域ＳＡ内において遊技の展開状況に応じた図柄を表示させる図柄表示装置３０（図４を併せて参照）が表示器の表示部３１ａを前面に臨ませて配設されている。
【００２１】
前枠２の背面には、遊技球を貯留する球貯留タンク２１、球貯留タンク２１に直結して入賞状態等に基づいて球貯留タンク２１に貯留される遊技球を払い出す球払出装置２４等が設けられている。また、前枠２の背面下部には、裏セット盤８０が前枠２の背面および裏セット盤８０の各部に設けられた裏セット盤係止機構９を用いて前枠２の背面を覆って係止保持されている。また、この裏セット盤８０の前面側には上方に開口する賞球受け口８６から球皿４へ遊技球を導く図示しない球払出通路が形成されており、さらに図２に二点鎖線で示すように球払出装置２４の下部と賞球受け口８６とが例えば蛇腹状に形成されるホース部材２５により連通される。このようにしてパチンコ機ＰＭの背面側に、遊技球を球貯留タンク２１から球皿４へと導く賞球経路が形成されている。
【００２２】
また、このように構成される背面には、制御装置、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００２３】
パチンコ機ＰＭは、ガラス扉３、球皿４等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技領域ＰＡに打ち出され、パチンコゲームが展開される。
【００２４】
このように概要構成されるパチンコ機ＰＭにあって、本発明においては表示器３１を備える図柄表示装置３０が前枠２に取り付けられて構成される。以下、この図柄表示装置３０の取付機構２００について、図３，図４を併せて参照して説明する。
【００２５】
図柄表示装置３０は、前後のケース半体３３ａ，３３ｂを組み付けて収容空間を形成するケース体３３に、例えば液晶パネル等による横長方形状の表示部３１ａを備える表示器３１、表示器３１の背面側に設けられて遊技展開に応じた図柄を表示するための制御を行う表示制御基板（図示せず）を収容して構成されている。また、このケース体３３には効果音等の演出制御を行うサブ制御基板３２等も併せて収容されており、図柄表示装置３０と上記したサブ制御装置４３とは一体に構成されている。なお、図３，図４に示すように、後ケース半体３３ｂの後方突出端面の面積は、前端面となる表示器の表示部３１ａの面積よりも大きく形成されている。
【００２６】
この図柄表示装置３０を構成する前ケース半体３３ａの左右４箇所には、それぞれ外方に突出して係合受け具３４が設けられている。係合受け具３４には円筒状に形成される受容溝３４ａが設けられており、受容溝３４ａにはネジ孔３４ｂが穿設されている。
【００２７】
ここで、前枠２には、遊技盤１０を収容部２ａに係止保持したときに少なくとも遊技盤１０の透視領域ＳＡと対峙する位置に略矩形状の開口が形成されており、前枠２の背面には、この開口部２０ａの両側縁部４箇所に円錐台形状の係合突起２７が後方に突出して一体に設けられている。この係合突起２７は、突端部２７ａが円柱状に突出して形成されるとともにネジ受け孔２７ｂを設けて形成されている。また、円柱状に形成される係合突起の突端部２７ａの外径と円筒状に形成される係合受け具の受容溝３４ａの内径とは、ほぼ同一寸法で形成されるとともに、突端部２７ａの配設間隔と受容溝３４ａの配設間隔が同長に設けられている。
【００２８】
このような取付機構２００を有したパチンコ機ＰＭは、遊技盤１０を前面側から前枠の収容部２ａ内に収容保持させ、図柄表示装置３０に設けられた係合受け具の受容溝３４ａを前枠２の背面に一体に設けた係合突起の突端部２７ａに係合させるとともに前ケース半体３３ａを前枠２の開口部２０ａに収容させ、ネジ孔３４ｂからネジ受け孔２７ｂにネジを螺合させることにより、表示器３１の表示部３１ａの端面が遊技盤１０の後方側に突出する矩形状の透視領域ＳＡと略整合して前面に臨んだ状態となる。
【００２９】
このように、本発明に係る表示装置取付機構２００は、従来は遊技盤背面に直接取り付けられていた図柄表示装置を前枠の背面側から取り付ける構成としている。このような構成により、従来は球寄せカバー等の処理機構との干渉回避のための設計制限によって困難であった図柄表示装置の大型化を行うことができる。
【００３０】
また、本発明に係る表示装置取付機構２００は、機種の変更に伴って取替作業を必要としない前枠２に一体に設けた係合突起２７を介して図柄表示装置３０を取り付ける構成であるため、従来は遊技盤１０に取り付けられて盤面替えの際に寿命を残したままで廃棄されることが一般的であった表示器３１を寿命に照らし合わせて利用することができ、新機種の遊技盤製作にあたって新品の表示器を都度取り付ける必要がなくなることから、製造コストを抑えたパチンコ機ＰＭを提供することができる。
【００３１】
また、４つの係合突起２７を前枠２に一体に設ける構成としたが必ずしもこの形態に限られず、４つ以上の係合突起を設けて構成してもよい。このように構成することにより、例えば機種の変更に伴って表示部３１ａのサイズ等が変更して係合受け部３４の配設間隔が変更されるようなことがあっても、取り付ける係合突起を選択変更することによって係合突起の配設間隔も合わせて変更することができ、図柄表示装置３０の前枠背面側からの取り付けに対応することができる。
【００３２】
なお、本構成のパチンコ機ＰＭは、裏セット盤８０が前枠背面を覆う部分を下方のみとなるようにして裏セット盤８０を配設し、球貯留タンク２１と球払出装置２４とを直結して両者にレール部材を介設させずに構成し、球払出装置２４から球払出通路とを例えば蛇腹状に形成されるホース部材２５により連通させることにより、賞球機構を前枠背面の隅部に配設する形態としている。このような形態にパチンコ機ＰＭが構成されることにより、背面中央部の設計領域を広く確保することができ、この部分に大型の図柄表示装置を配設することが可能となる。
【００３３】
次いで、他の構成例による本発明に係る弾球遊技機の表示装置取付機構について、図５を参照して説明する。本構成の取付機構２５０の概略を説明すると、前枠２の背面に着脱可能にブラケット５０を取り付け、このブラケット５０に設けた係合突起５７と図柄表示装置３０に設けた係合受け具３４とを係合させるものである。なお、本構成を適用する弾球遊技機の全体構成は上記パチンコ機ＰＭと同様であり、また、図柄表示装置においても上記構成例と同様であるため、同一部分については同一符号を付すものとして重複部分の説明は省略する。
【００３４】
前枠２は、遊技盤１０を収容保持したときに少なくとも遊技盤１０の透視領域ＳＡと対峙する位置で前面側にオフセット形成されており、このオフセットにより形成される凹部に矩形状の開口部２０ａが設けられる。さらに、この開口部２０ａにおける背面側の両側縁部のそれぞれに矩形枠状のリブ２８が後方に突出して設けられており、このリブ２８に囲まれて収容空間２０ｂが同形状に形成されている。また、リブ２８の突出辺縁は楔状に形成されて係止爪２９が周設されている。
【００３５】
このようにして設けられる両収容空間２０ｂのそれぞれに、同形状に形成されるブラケット５０，５０が取り付けられる。ブラケット５０は、矩形状の平板部５１にリブ２８の突出高さに合わせた折返部５２が設けられて形成される。それぞれのブラケット５０の平板部５１には、縦方向に並ぶ２箇所において円錐台形状の係合突起５７が突出して一体に設けられている。この係合突起の突端部５７ａは、上記係合突起２７と同様に、円柱状に突出するように形成されるとともにネジ受け孔５７ｂが設けられており、突端部５７ａの外径と係合受け具の受容部３４ａの内径とがほぼ同一寸法で形成される。
【００３６】
このようなブラケット５０をリブ２８により形成される収容空間２０ｂに嵌め込むと、折返部５２の端部が前枠２の背面に当接するとともに、平板部５１がリブ２８の突出辺縁に設けられた係止爪２９によって係止されることによって前枠２に係止保持される。また、平板部５１に設けられた係合突起５７が前枠２の背面側に突出した状態となる。
【００３７】
このように構成される取付機構２５０においては、ブラケット５０を開口部２０ａの両側に設けられた収容空間２０ｂに係止保持させ、図柄表示装置３０に設けられた係合受け具の受容部３４ａをブラケット５０に一体に設けられた係合突起の突端部５７ａに係合させるとともに前ケース半体３３ａを前枠２に設けられた開口部２０ａに収容させ、ネジ孔３４ｂからネジ受け孔５７ｂにネジを螺合させることにより、図３，図４に示した上記構成例と同様にして、表示器３１の表示部３１ａが矩形状の透視領域ＳＡと略整合して前面に臨んだ状態となって図柄表示装置３０が前枠２の背面側から取り付けられる。なお、両側の収容空間２０ｂおよび収容空間のそれぞれに嵌め込まれるブラケット５０はいずれも同形状で形成されているため、ブラケット５０は左右を選択自由として収容空間２０ｂに取り付けることができる。
【００３８】
このように本構成の取付機構２５０は、上記取付機構２００と同様にして図柄表示装置３０を前枠２の背面側から取付可能としているため、従来よりも大型の図柄表示装置を取り付けることができ、表示器３１を寿命に照らし合わせて利用することによりコストを抑えてパチンコ機を製造することができる等の同様の効果を得ることができる。
【００３９】
なお、本構成の取付機構２５０は、図柄表示装置３０を遊技盤１０あるいは前枠２に直接取り付けるものではなく、間接部材としてのブラケット５０に取り付けるように構成している。このため、図５に実線で示す係合突起５７，５７の配設間隔をＬとする本構成で適用したブラケット部材５０、あるいは二点鎖線で示す係合突起５７’，５７’の配設間隔をＬ’とするブラケット部材５０’など、平板部５１、折返部５２等の外形寸法を同一とするとともに係合突起５７の配設間隔を異としたブラケットを製作することにより、機種の変更に伴って表示器、図柄制御基板等を収容するケース体３３のサイズが変更して係合受け部３４の配設間隔が変更されても、配設間隔が最適のブラケットを前枠２に選択取付することによって容易に対応することができる。このように、本構成の取付機構２５０においては種々のサイズの図柄表示装置３０の取り付けが可能となる。
【００４０】
上記各構成例においては、係合突起を前枠２あるいはブラケット５０の平板部５１に一体に設けて構成したが、それぞれにおいてこの係合突起を可動として構成する形態をとってもよい。図６，図７にブラケットを用いた取付機構において係合突起を可動とする構成変更例について図示しており、以下これらの図面を参照して構成変更例の取付機構２６０，２７０について説明する。なお、これらの取付機構２６０，２７０においても同一部材には同一符号を付して重複説明を省略する。
【００４１】
まず、図６を参照して係合突起を可動とする一構成変更例について説明する。図６に示す取付機構２６０のブラケット６０，６０は、外形を上記ブラケット５０と同一寸法で形成され、平板部６１、折返部（図示せず）が同様にして形成されている。また、平板部６１には、縦横方向に延びて形成され略目の字状のガイド溝６１ａが貫通して設けられている。そして、外形が上記各構成例の係合突起２７，５７と同様の円錐台形状に形成されるとともに底面にネジ受け孔が設けられた係合突起６７が、平板部６１の裏面からガイド溝６１ａを介してネジ止めされてガイド溝６１ａ上に位置固定される。また、係合突起の突端部６７ａは、上記各構成例と同様にネジ受け孔を有した円柱形状で形成され、外径が受容溝３４ａの内径とほぼ同一寸法で形成される。
【００４２】
このブラケット６０を開口部２０ａの両側に配設される収容空間２０ｂに嵌め込んで係止保持させると、平板部６１に設けられた係合突起６７が前枠２の背面側に突出した状態となる。この係合突起の突端部６７ａに図柄表示装置３０に設けられた係合受け具の受容溝３４ａを係合させるとともに前ケース半体３３ａを前枠２に設けられた開口部２０ａに収容させてネジ止めすることにより、表示器３１の表示部３１ａを透視領域ＳＡと略整合させて前面に臨ませた状態とする。なお、上述した取付機構２５０と同様に、ブラケット６０は左右選択自由に収容空間２０ｂに取り付けることができる。
【００４３】
本構成においても、図柄表示装置３０を前枠２の背面側から取り付けられることによる同様の効果を得ることができる。また、本構成においては、係合突起６７をガイド溝６１ａに沿ってスライドさせることができる。このため、ガイド溝６１ａの延びる範囲内において任意の位置で係合突起６７を固定することができることから、係合突起６７を無段階的に縦横方向に調整することが可能となる。従って、機種の変更に伴って図柄表示装置３０のサイズが変更され、係合受け具３４の配設間隔が拡大あるいは縮小される場合においても、ガイド溝６１ａに沿って係合突起６７の配設間隔を縦横方向に調整することにより、図柄表示装置３０の前枠背面側からの取り付けに対応することができる。
【００４４】
続いて、図７を参照して係合突起を可動とする他の構成変更例の取付機構２７０を説明する。図７に示すブラケット７０，７０も、前述のブラケット５０，６０と同様の外形寸法によって、平板部７１、折返部（図示せず）が形成される。平板部７１においては、縦横方向にマトリクス状に並んでガイド孔７１ａ，７１ａ，…が貫通して設けられている。そして、上記係合突起６７と同形状の係合突起７７が、平板部７１の裏面からネジ止めされてガイド孔７１ａ上に位置固定される。
【００４５】
このブラケット７０を上記変更例と同様にして、開口部２０ａの両側に配設される収容空間２０ｂに嵌め込んで係止保持させ、係合突起の突端部７７ａに図柄表示装置に設けられた係合受け具の受容溝３４ａを係合させるとともにネジ止めし、前ケース半体３３ａを開口部２０ａに収容することにより表示器３１の表示部３１ａを透視領域ＳＡと略整合させて前面に臨ませた状態とする。なお、上述した取付機構２５０，２６０と同様に、ブラケット７０は左右選択自由に収容空間２０ｂに取り付けることができる。
【００４６】
このような本構成においても、図柄表示装置３０を前枠２の背面側から取り付けられることによる同様の効果を得ることができる。また、本構成においては、係合突起７７を取り付けるガイド孔７１ａ，７１ａ，…の箇所を選択することにより、係合突起７７の配設間隔をガイド孔７１ａの穿設間隔に応じて多段階的に縦横方向に調整することができる。従って、上記変更例と同様に、機種の変更に伴って図柄表示装置３０の係合受け具３４の配設間隔に変更がある場合においても、位置固定するガイド孔７１ａを選択することにより係合突起７７の配設間隔を縦横方向に調整することにより、図柄表示装置３０の前枠背面側からの取り付けに対応することができる。
【００４７】
また、図６，図７において説明した構成については、ブラケットを使用した場合においてのみの適用に限られない。例えば、図８に示すように前枠２の開口部２０ａの両側縁部に、上記取付機構２６０のガイド溝６１ａと同様にして縦横方向に延びる略目の字状に形成される溝を貫通して設け、係合突起６７を前枠の前面側からネジ受け孔６７ｃに向けてネジ止めして溝上に位置固定するように取り付けて図柄表示装置３０の取付機構２１０を構成し、図柄表示装置３０を係合受け具のネジ孔３４ｂから係合突起のネジ受け孔６７ｂにネジを螺合させることによって取り付ける形態としてもよい。このような構成によっても、ガイド溝６１ａをスライドさせて無段階的に係合突起の配設間隔を変更可能であるという同様の効果を得ることができる。また、同様にして前枠２に上記取付機構２７０のガイド孔７１ａと同様にして縦横方向に並ぶマトリクス状の孔を穿設して係合突起をこの孔に取り付けることによっても構成可能であり、このように構成することによって上記取付機構２７０と同様の効果を得ることができる。
【００４８】
また、上記実施例においては、係合突起６７，７７をガイド溝６１ａ、ガイド孔７１ａに沿って可動とする構成としたが、必ずしもこの構成に限らず、図柄表示装置３０に係合突起を設け、係合受け部を前枠２の背面側に設けたガイド溝６１ａ、ガイド孔７１ａに対応した複数位置で係合突起と係合可能に構成してもよい。このように構成しても、例えば図柄表示装置３０のサイズ変更に伴って図柄表示装置に設けられる係合突起の配設間隔が変更されたときに、係合受け部の配設間隔を変更することにより、上記実施例と同様にして図柄表示装置３０の取付に容易に対応することができる。
【００４９】
なお、図６に示すブラケット６０のガイド溝６１ａは図示する形態に限られない。即ち、図示のように連通させて溝を形成させる必要はなく、また、縦横方向に延びる溝の本数をより多くあるいは少なく設定して形成してもよい。同様にして図７に示すブラケット７０のガイド孔７１ａの穿設個数、穿設間隔などにおいても図示する形態に限られず、複数の貫通孔を設けて係合突起の配設間隔を変更可能な形態であればどのように形成してもよい。
【００５０】
なお、上記各実施形態において、本発明に係る表示装置取付機構を適用する弾球遊技機としてパチンコ機を例示したが、アーケードゲーム機、スマートボール機についても、上記各実施形態のように図柄表示装置を備えて遊技盤の背面側に他の機構枠体、機構盤等を有して構成される弾球遊技機であれば、同様に適用して同様の効果を得ることが可能である。
【図面の簡単な説明】
【００５１】
【図１】本発明に係る弾球遊技機の一例として示すパチンコ機のガラス扉を開放して示す正面図である。
【図２】上記パチンコ機の前枠、遊技盤、図柄表示装置を分解して示す背面図である。
【図３】上記パチンコ機の側断面図である。
【図４】上記パチンコ機の側断面図である。
【図５】変更例の前枠の断面図である。
【図６】変更例における前枠の一部を示すパチンコ機の背面図である。
【図７】変更例における前枠の一部を示すパチンコ機の背面図である。
【図８】変更例におけるパチンコ機の側断面図である。
【符号の説明】
【００５２】
ＰＭ  パチンコ機
ＰＡ  遊技領域
ＳＡ  透視領域
１  外枠
２  前枠
（２ａ  収容部）
１０  遊技盤
１８  表示装置飾り体
２０ａ  開口部、２０ｂ  収容空間
２７  係合突起
（２７ａ  突端部）
３０  図柄表示装置
３１  表示器
（３１ａ  表示部）
３４  係合受け具
（３４ａ  受容溝）
５０，６０，７０  ブラケット
５１，６１，７１  平板部
（６１ａ  ガイド溝、７１ａ  ガイド孔）
５７，６７，７７  係合突起
（５７ａ，６７ａ，７７ａ  突端部）
８０  裏セット盤
【図１】
2005305039.tif 000003
【図２】
2005305039.tif 000004
【図３】
2005305039.tif 000005
【図４】
2005305039.tif 000006
【図５】
2005305039.tif 000007
【図６】
2005305039.tif 000008
【図７】
2005305039.tif 000009
【図８】
2005305039.tif 000010